(57)【要約】      （修正有）【課題】印刷待ち物件の異なる材質特性に合わせて適するローラーを切り換えて選択するプリンター設置のローラー切換装置を提供する。【解決手段】プリンター設置のローラー切換装置は、複数個のローラー１０、１２及び一切換装置２０を含む。そのうち、この複数個のローラーは一プリンターの工作台面内に設置し、そのうち一個のローラーにはそれぞれ複数個の同一材質を被せた凸起部１０４、１２４を具え、異なる材料特性の印刷待ち物件を伝動する。またこの切換装置は上述のローラーと相互に連接し、印刷待ち物件の材料特性に基づき、そのうちの適用する一ローラーをプリンター工作台面の側に切り換える。【選択図】図１
0003139719.tif 000002
【実用新案登録請求の範囲】
【請求項１】
プリンター設置のローラー切換装置において、
プリンターの工作台面内に設置し、一個のローラーにはそれぞれ複数個の同一材質を被せた凸起部を具え、異なる材料特性の印刷待ち物件を伝動するのに適用する複数個のローラーと、
上述のローラーと相互に連結し、印刷待ち物件の材料特性に基づき、そのうちの一個の適用するローラーをプリンター工作台面の側に切り換える一切換装置を含むことを特徴とするプリンター設置のローラー切換装置。
【請求項２】
前記切換装置は、更にウォーム桿及びウォーム桿と相互に連結するウォームギアを含み、且つこのウォームギアは上述の複数個のローラーと相互に連接することを特徴とする請求項１記載のプリンター設置のローラー切換装置。
【請求項３】
前記ローラーは二個を具え、そのうち一個のローラーの凸起部には軟性材質を被せ、硬性材質の印刷待ち物件を伝動するのに適用し、別の一個のローラーの凸起部には硬性材質を被せ、軟性材質の印刷待ち物件を伝動するのに適用することを特徴とする請求項１記載のプリンター設置のローラー切換装置。
【請求項４】
前記凸起部を覆う軟性材質はゴムとすることを特徴とする請求項３記載のプリンター設置のローラー切換装置。
【請求項５】
前記凸起部を覆う硬性材質は、金属ナーリング(knurling)であることを特徴とする請求項３記載のプリンター設置のローラー切換装置。
【考案の詳細な説明】
【技術分野】
【０００１】
本考案は、プリンター設置のローラー切換装置に関するもので、印刷待ち物件の異なる材質特性に合わせて適するローラーを切り換えて選択するものである。
【背景技術】
【０００２】
公知プリンターは、ローラーの回転によって印刷待ち物件を動かして前進させる。現在、上述のローラーは一般的にエッチングした鉄皮をその表面として使用しており、エッチング顆粒が印刷待ち物件の底部を噛むことによって発生した摩擦力を使い、ローラーが回転すると同時に印刷待ち物件を前方へ送る。
【０００３】
図４に示すとおり、公知ローラー４１は、プリンター工作台面４０下方に設置し、エッチングした鉄皮を被せた凸起部４２を複数個具える。そのうち、各凸起部４２はプリンター工作台面４０上に於いて凸起部４２と相対する開口４２から突出させる。印刷待ち物件をプリンター工作台面４０上に置くと、凸起部４２と相対する一紙押圧車輪が降下し、印刷待ち物件を凸起部４２上で押さえる。この他、ローラー４１と一モーター５０は相互に連結し、ローラー４１を回転させることによって凸起部４２を動かして上述の印刷待ち物件を前進させ、印刷工程に進む。
【０００４】
凸起部４２にエッチングした鉄皮を被せたローラーは、軟質の印刷待ち物件、例として紙に対して良好な帯同効果を具える。言い換えると、即ちエッチングした鉄皮は軟質の印刷待ち物件の間に十分な摩擦力を具え、ローラー４１が回転すると同時に、印刷待ち物件を前進させる。しかしながら、材料の特性が異なると、凸起部４２にエッチングした鉄皮を被せたローラーは、或る種の材質の印刷待ち物件、例として硬質の印刷待ち物件に対して適用するが困難になる。そのため、使用上、凸起部４２にエッチングした鉄皮を被せたローラーには制限がある。
【０００５】
硬質の印刷待ち物件、例としてガラス、アクリル板等を凸起部４２にエッチングした鉄皮を被せたローラー４１に使用する場合、エッチングした鉄皮上のエッチング顆粒はこれら材質の印刷待ち物件の底側で挟めず、伝送すると滑ってしまう現象が発生しやすい。そのため、スムーズに印刷待ち物件を伝送して印刷工程に進むことができなくなる。この状況から，凸起部４２に軟性物質を被せたローラー４１、例としてゴムを使用して、硬質の印刷待ち物件を帯同する必要がある。
【０００６】
この他、現在のプリンター構造設計に限ると、仮にプリンターが異なる材質の印刷待ち物件、例として先ず硬質印刷待ち物件及び軟質印刷待ち物件を印刷する必要がある場合、それぞれ異なる表面材質のローラー４１を使用しなければならない。
【特許文献１】特開平５−２４２７８号公報
【考案の開示】
【考案が解決しようとする課題】
【０００７】
解決しようとする問題点は、印刷待ち物件の材質が異なる場合、それぞれ異なる表面材質のローラーに取り替えなければならず、この状況の時、ローラー４１取替えは時間が掛かるだけなく、労力も浪費し、非常に不経済である点である。そのため、本考案の考案者は一種の印刷待ち物件材質に基づき、異なるローラーを簡単に切り換えるプリンター設置のローラー切換装置を提供し、上述の欠点を改善することを課題とする。
【課題を解決するための手段】
【０００８】
本考案は、複数個のローラー及び一切換装置を含む。そのうち、この複数個のローラーは一プリンターの工作台面内に設置し、そのうち一個のローラーにはそれぞれ複数個の同一材質を被せた凸起部を具え、異なる材料特性の印刷待ち物件を伝動する。またこの切換装置は上述のローラーと相互に連接し、印刷待ち物件の材料特性に基づき、そのうちの適用する一ローラーをプリンター工作台面の側に切り換えることを最も主要な特徴とする。
【考案の効果】
【０００９】
本考案のプリンター設置のローラー切換装置は、印刷待ち物件の異なる材質特性に合わせて適するローラーを切り換えて選択するという利点がある。
【考案を実施するための最良の形態】
【００１０】
一種のプリンター設置のローラー切換装置を提供し、印刷待ち物件の異なる特性に基づき、適用するローラーを選択し、印刷待ち物件を前進させることを本考案の主な目的とする。
【００１１】
上述の目的のため、本考案は一種のプリンター設置のローラー切換装置を提供し、複数個のローラー及び一切換装置を含む。そのうち複数個のローラーは一プリンターの工作台面内に設置し、且つ一個のローラーはそれぞれ複数個の同一材質を被せた凸起部を具え、異なる材料特性の印刷待ち物件を伝動する。切換装置は上述のローラーと相互に連結し、印刷待ち物件の材料特性に基づき、そのうちの適用するローラーをプリンター工作台面の側に切り換えて印刷待ち物件を前進させる。
【００１２】
本考案の特徴及び作用をより深く理解するため、実施例を図式とともに詳述する。
【００１３】
本考案のプリンター設置のローラー切換装置は、複数個のローラー１０、１２及び一切換装置２０を含む。そのうち、上述の複数個のローラー１０、１２は、一プリンターの工作台面３０内に設置し、且つ一個のローラー１０、１２にはそれぞれ複数個の同一材質を被せた凸起部１０４、１２４を具え、異なる材料特性を具えた印刷待ち物件の伝動に適用する。また、上述の切換装置２０は上述のローラー１０、１２と相互に連接し、印刷待ち物件の材料特性に基づき、適する一ローラー１０をプリンター工作台面３０の側に向けて切り換える。
【００１４】
図１及び図２は、本考案のプリンター設置のローラー切換装置の一実施例の立体分解図及び立体外觀図である。
【００１５】
図に示すとおり、本考案のプリンター設置のローラー切換装置は、二個のローラー１０、１２及び一切換装置２０を含む。そのうち、このローラー１０、１２の一端は一ベルト５４で一モーター５２と相互に連接する。
【００１６】
本実施例において、上述のローラー１０、１２は、プリンターの工作台面３０内部に設置し、且つ一中心軸桿１０２、１２２及び複数個の凸起部１０４、１２４を具える。そのうち、一ローラー１２の凸起部１２４は軟性材質を被せたもので、硬性材質の印刷待ち物件に適用する。別の一ローラー１０の凸起部１０４は硬性材質を被せたもので、軟性材質の印刷待ち物件に適用する。そのうち、凸起部を覆う軟性材質はゴム類とし、凸起部を覆う硬性材質は金属ナーリング(knurling)とする。この他、工作台面３０にはこれら凸起部１０４、１２４に相対する開口３２を設置する。これらにより、ローラー１０、１２の凸起部１０４、１２４は、開口３２を経て工作台面３０の表面に突出する。
【００１７】
上述の切換装置２０は一ウォーム桿２２及びウォーム桿２２と相互に連結するウォームギア２４を含み、且つウォームギア２４は上述のローラー１０、１２と相互に連接する。本実施例に於いて、ウォームギア２４はその中心点傍に二個の穿孔２４０を設置し、それぞれにローラー１０、１２の中心軸桿１０２、１２２を差し込む。これによってウォーム桿２２が回転した時、同時にウォームギア２４が回転し、適用されたローラー１０、１２をプリンター工作台面３０の側に切り換え、凸起部１０４、１２４を工作台面３０の開口３２外に突出させ、印刷待ち物件を前進させる。
【００１８】
図３は、本考案のプリンターにローラー切換装置を設置した一使用状態図である。印刷待ち物件の材料の特性が適用するローラーの変更を必要とする時、上述の切換装置２０で切換を行う。図に示すとおり、使用しているローラー１０を別のローラー１２に切り換える時、使用者はウォーム桿２２を時計回りに回転させるだけで、ウォームギア２４が矢印の時計と逆に回転し、ローラー１２をプリンター工作台面３０の側に回転させ、凸起部１２４を工作台面３０の開口３２から突出させ、印刷待ち物件に伝動する。また前回使用したローラー１０を使用したい場合、使用者はウォーム桿２２を時計と逆回りに回転させ、ローラー１０を再びプリンター工作台面の側３０に戻す。
【００１９】
上述に示すとおり、本考案は予定した目的を確実にし、印刷待ち物件の材質に基づき、異なるローラーを簡単に切り換えてプリンターに用いるローラー切換装置であるため産業利用価値が極めて高く、ここに実用新案登録を申請する。
【００２０】
上述の説明と図式は本考案実施例を説明するためのもので、同じ効果を具えた局部変化や修飾は、本考案の技術手段と精神と同じであると看做す。
【図面の簡単な説明】
【００２１】
【図１】本考案のプリンター設置のローラー切換装置の一立体分解図である。
【図２】本考案のプリンター設置のローラー切換装置の一立体外觀図である。
【図３】本考案のプリンター設置のローラー切換装置の一使用状態図である。
【図４】公知プリンターのローラーの一指示図である。
【符号の説明】
【００２２】
１０        ローラー
１０２        中心軸桿
１０４        凸起部
１２        ローラー
１２２        中心軸桿
１２４        凸起部
２０        切換装置
２２        ウォーム桿
２４        ウォームギア
２４０        穿孔
３０        工作台面
３２        開口
４０        工作台面
４１        ローラー
４２        凸起部
４４        開口
５０        モーター
５２        モーター
１        ベルト
【図１】
0003139719.tif 000003
【図２】
0003139719.tif 000004
【図３】
0003139719.tif 000005
【図４】
0003139719.tif 000006